(57)【要約】  本願にはＣＴシステム及びＣＴシステムに用いられる検出装置が開示されている。前記装置（３）は、所定の軌跡に沿って配列されている複数列の高エネルギー検出器（３１１）を含む高エネルギー検出器アセンブリ（３１）と、高エネルギー検出器アセンブリ（３１）に積層して設けられ、所定の軌跡に沿って間隔を空けて配列されている複数列の低エネルギー検出器（３２１）を含む低エネルギー検出器アセンブリ（３２）と、を備え、低エネルギー検出器（３２１）の列数は高エネルギー検出器（３１１）の列数よりも少なく、各列の低エネルギー検出器（３２１）は、何れも１列の高エネルギー検出器（３１１）を覆っている。本願の実施例に係るＣＴシステム及びＣＴシステムに用いられる検出装置（３）によれば、材料に対する識別可能性を向上させることができる。【選択図】図２
2022502199.tif 000002
【特許請求の範囲】
【請求項１】
ＣＴシステムに用いられる検出装置であって、
所定の軌跡に沿って配列されている複数列の高エネルギー検出器を含む高エネルギー検出器アセンブリと、
前記高エネルギー検出器アセンブリに積層して設けられ、前記所定の軌跡に沿って間隔を空けて配列されている複数列の低エネルギー検出器を含む低エネルギー検出器アセンブリと、を備え、
前記低エネルギー検出器の列数は前記高エネルギー検出器の列数よりも少なく、
各列の前記低エネルギー検出器は、何れも１列の前記高エネルギー検出器を覆っている検出装置。
【請求項２】
任意の隣接する２列の前記高エネルギー検出器は、密接に設けられている、
請求項１に記載の検出装置。
【請求項３】
前記複数列の高エネルギー検出器は、前記所定の軌跡に沿って間隔を空けて配列されている、
請求項１に記載の検出装置。
【請求項４】
任意の隣接する２列の前記高エネルギー検出器の間には、何れも第１の予め設定されたピッチがある、
請求項１に記載の検出装置。
【請求項５】
前記低エネルギー検出器により覆われている、任意の隣接する２列の前記高エネルギー検出器の間に、前記低エネルギー検出器により覆われていない少なくとも１列の前記高エネルギー検出器が設けられている、
請求項１に記載の検出装置。
【請求項６】
前記低エネルギー検出器により覆われている前記高エネルギー検出器と、前記低エネルギー検出器により覆われていない前記高エネルギー検出器とは、前記所定の軌跡に沿って交互に配列されている、
請求項１に記載の検出装置。
【請求項７】
任意の隣接する２列の前記低エネルギー検出器の間には、何れも第２の予め設定されたピッチがある、
請求項１に記載の検出装置。
【請求項８】
前記第２の予め設定されたピッチは、５〜８０ｍｍであり、又は、
前記第２の予め設定されたピッチは、３０〜５０ｍｍである、
請求項７に記載の検出装置。
【請求項９】
前記所定の軌跡は円弧である請求項１に記載の検出装置。
【請求項１０】
ＣＴシステムに用いられる検出装置であって、
積層して設けられた１層目の検出器アセンブリと、２層目の検出器アセンブリと、．．．、Ｎ層目の検出器アセンブリとを含み、前記Ｎは２よりも大きい整数であり、
ここで、前記１層目の検出器アセンブリは、所定の軌跡に沿って配列されている複数列の第１の検出器を含み、前記２層目の検出器アセンブリは、前記所定の軌跡に沿って間隔を空けて配列されている複数列の第２の検出器を含み、．．．、前記Ｎ層目の検出器アセンブリは、前記所定の軌跡に沿って間隔を空けて配列されている複数列の第Ｎの検出器を含み、
前記第１の検出器のエネルギー応答ピークに対応するエネルギーと、前記第２の検出器のエネルギー応答ピークに対応するエネルギーと、．．．、前記第Ｎの検出器のエネルギー応答ピークに対応するエネルギーとは順次に減少し、
ｋ＋１層目の検出器アセンブリにおける検出器の列数は、ｋ層目の検出器アセンブリにおける検出器の列数よりも少なく、ｋ＝１、２、．．．、Ｎ−１であり、
前記ｋ＋１層目の検出器アセンブリにおける各列の検出器は、何れも前記ｋ層目の検出器アセンブリにおける１列の検出器を覆っている検出装置。
【請求項１１】
被検体がＣＴシステムに出入りするためのスキャンチャネルと、前記スキャンチャネルの周りを回転するスリップリングと、前記スリップリングに接続されている放射線源と、前記放射線源に対向して設けられており、且つ前記スリップリングに接続されている検出装置と、を備えた前記ＣＴシステムであって、
前記検出装置は、請求項１から１０のいずれか１項に記載の装置である、
ＣＴシステム。
【請求項１２】
前記検出装置から出力されたデータ信号に基づいて前記被検体のＣＴ画像を再構成するデータ処理モジュールを更に備える、
請求項１１に記載のＣＴシステム。
【発明の詳細な説明】
【技術分野】
【０００１】
（関連出願の相互参照）
本願は、２０１８年１２月１７日に提出された「ＣＴシステム及びＣＴシステムに用いられる検出装置」という名称の中国特許出願２０１８１１５４２６２７．４の優先権を主張しており、その出願の全体が参照として本明細書に組み込まれている。
【０００２】
本願は、放射線検出の分野に関し、特にＣＴシステム及びＣＴシステムに用いられる検出装置に関する。
【背景技術】
【０００３】
現在、放射線撮影に基づくコンピュータ断層撮影技術は、安全検査、特に荷物中の疑わしい物品の検査に広く使用されている。放射線撮影によるＣＴ技術では、ＣＴデータ再構成によって断層内の被走査物体の特徴分布データを得ることができ、特徴データを解析することで、荷物によく見られる疑わしい物品を識別することができる。
【０００４】
現在、広く使われているデュアルエネルギーＣＴシステムは２層検出器構成を採用して、２種類のエネルギーによる投影データを取得することで、被検体を識別する。しかし、現在のＣＴシステムにおける２層検出器構成は、せいぜい２種類のエネルギーによる投影データのみを取得し、材料に対する識別可能性を制限している。
【発明の概要】
【課題を解決するための手段】
【０００５】
本願の実施例は、マルチエネルギーによる投影データを利用することにより、材料に対する識別可能性を向上させるＣＴシステム及びＣＴシステムに用いられる検出装置を提供している。
【０００６】
本願の実施例の１つの側面によれば、ＣＴシステムに用いられる検出装置を提供しており、当該装置は、所定の軌跡に沿って配列されている複数列の高エネルギー検出器を含む高エネルギー検出器アセンブリと、高エネルギー検出器アセンブリに積層して設けられ、所定の軌跡に沿って間隔を空けて配列されている複数列の低エネルギー検出器を含む低エネルギー検出器アセンブリと、を備え、低エネルギー検出器の列数は前記高エネルギー検出器の列数よりも少なく、各列の低エネルギー検出器は、何れも１列の高エネルギー検出器を覆っている。
【０００７】
一つの実施例では、任意の隣接する２列の高エネルギー検出器は、密接に設けられている。
【０００８】
一つの実施例では、複数列の高エネルギー検出器は、所定の軌跡に沿って間隔を空けて配列されている。
【０００９】
一つの実施例では、任意の隣接する２列の高エネルギー検出器の間には、何れも第１の予め設定されたピッチがある。
【００１０】
一つの実施例では、低エネルギー検出器により覆われている、任意の隣接する２列の高エネルギー検出器の間に、低エネルギー検出器により覆われていない少なくとも１列の高エネルギー検出器が設けられている。
【００１１】
一つの実施例では、低エネルギー検出器により覆われている高エネルギー検出器と、低エネルギー検出器により覆われていない高エネルギー検出器とは、所定の軌跡に沿って交互に配列されている。
【００１２】
一つの実施例では、任意の隣接する２列の低エネルギー検出器の間には、何れも第２の予め設定されたピッチがある。
【００１３】
一つの実施例では、第２の予め設定されたピッチは、５〜８０ｍｍであり、又は、第２の予め設定されたピッチは、３０〜５０ｍｍである。
【００１４】
一つの実施例では、所定の軌跡は円弧である。
【００１５】
本願の実施例のもう１つの側面によれば、ＣＴシステムに用いられる検出装置を提供する。当該装置は、積層して設けられた１層目の検出器アセンブリと、２層目の検出器アセンブリと、．．．、Ｎ層目の検出器アセンブリとを含み、前記Ｎは２よりも大きい整数であり、ここで、前記１層目の検出器アセンブリは、所定の軌跡に沿って配列されている複数列の第１の検出器を含み、２層目の検出器アセンブリは、所定の軌跡に沿って間隔を空けて配列されている複数列の第２の検出器を含み、．．．、Ｎ層目の検出器アセンブリは、所定の軌跡に沿って間隔を空けて配列されている複数列の第Ｎの検出器を含み、第１の検出器のエネルギー応答ピークに対応するエネルギーと、第２の検出器のエネルギー応答ピークに対応するエネルギーと、．．．、第Ｎの検出器のエネルギー応答ピークに対応するエネルギーとは順次に減少し、ｋ＋１層目の検出器アセンブリにおける検出器の列数は、ｋ層目の検出器アセンブリにおける検出器の列数よりも少なく、ｋ＝１、２、．．．、Ｎ−１であり、ｋ＋１層目の検出器アセンブリにおける各列の検出器は、何れもｋ層目の検出器アセンブリにおける１列の検出器を覆っている。
【００１６】
本願の実施例の更にもう１つの側面によれば、ＣＴシステムを提供する。当該ＣＴシステムは、被検体がＣＴシステムに出入りするためのスキャンチャネルと、スキャンチャネルの周りを回転するスリップリングと、スリップリングに接続されている放射線源と、放射線源に対向して設けられており、且つスリップリングに接続されている検出装置と、を備えて、検出装置は、本願の実施例に係る装置である。
【００１７】
一つの実施例では、ＣＴシステムは、検出装置から出力されたデータ信号に基づいて被検体のＣＴ画像を再構成するデータ処理モジュールを更に備える。
【００１８】
本願の実施例に係るＣＴシステム及びＣＴシステムに用いられる検出装置によれば、検出装置は、高エネルギー検出器アセンブリと、高エネルギー検出器アセンブリに積層して設けられた低エネルギー検出器アセンブリと、を備え、高エネルギー検出器アセンブリは、所定の軌跡に沿って配列されている複数列の高エネルギー検出器を含み、低エネルギー検出器アセンブリは、前記所定の軌跡に沿って間隔を空けて配列されている複数列の低エネルギー検出器を含み、低エネルギー検出器の列数は高エネルギー検出器の列数よりも少なく、各列の低エネルギー検出器は、何れも１列の高エネルギー検出器を覆っているため、放射線源から放出する放射線は検出装置を透過する３種類の方式を有することができる。これにより、３種類のエネルギーによる投影画像を取得することができ、材料に対する識別可能性を向上させることができる。
【図面の簡単な説明】
【００１９】
以下、添付図面を参照しながら、本願の例示的な実施例の特徴、利点及び技術効果について説明する。
【００２０】
【図１】は、本発明のいくつかの実施例に係るＣＴシステムの概略構成図である。
【図２】は、本願の一実施例に係るＣＴシステムに用いられる検出装置の概略構成を示す模式図である。
【図３】は、本願のいくつかの実施例によって提供される単列の検出器の構成を示す模式図である。
【図４】は、図２の検出装置を示す側面図である。
【図５】は、図２の検出装置における低エネルギー検出器及び高エネルギー検出器のエネルギー応答曲線を示す図である。
【図６】は、本願の他の実施例に係る検出装置を示す側面図である。
【図７】は、本願のさらに別の実施例に係る検出装置を示す側面図である。
【発明を実施するための形態】
【００２１】
以下、添付図面及び実施例を参照して、本願の実施形態をさらに詳細に説明する。以下の実施例の詳細な説明及び添付図面は、本願の原理を例示的に説明するために使用されているが、本願の範囲を限定するものではない。即ち、本願は、記載された実施例に限定されるものではない。
【００２２】
なお、本明細書において、第１及び第２等の関係用語は、一方のエンティティ又は操作と他方のエンティティ又は操作とを区別するために用いられるものであり、必ずしもこれらのエンティティ又は操作の間にそのような実際の関係又は順序が存在する必要をすることではなく、それを暗示することではない。さらに、「備える」、「含む」、又はその任意の他の変形体は、非排他的なものを包含することを意図しており、一連の要素を含むプロセス、方法、物品、又は装置がそれらの要素だけでなく、また、明示的に記載されていない他の要素、又はそのようなプロセス、方法、物品、又は装置に固有の要素も含まれる。さらに限定されるものがない場合に、「．．．を含む」という文言によって限定される要素は、その要素を含むプロセス、方法、物品、又は装置内に他の同じ要素が存在することを排除するものではない。
【００２３】
本願をより良く理解するために、以下、本発明の実施例に係るＣＴシステム及びＣＴシステムに用いられる検出装置について図面を参照して詳細に説明する。なお、これらの実施例は、本願の開示の範囲を限定するものではない。
【００２４】
図１は、本願の実施例に係るＣＴシステムの概略構成図である。図１に示すように、ＣＴシステムは、スキャンチャネル１と、放射線源２と、検出装置３と、スリップリング４と、制御装置５と、データ処理装置６とを備えている。
【００２５】
本願の実施例では、被検体は、スキャンチャネル１を通って搬送方向Ｖに沿ってＣＴシステムに出入りする。
【００２６】
放射線源２は、スリップリングに接続されており、放射線ビームを放出するためのものである。放射線源２は、汎用の各種の型番のＸ線機や加速器であってもよいし、放射性同位体や同期放射光源等の、Ｘ線やγ線を放出することができる装置であってもよい。
【００２７】
検出装置３は、放射線源２に対向して設けられており、且つスリップリング４に接続されている。検出装置３は、被検体を透過した放射線源２からの放射線ビームを受光する。
【００２８】
スリップリング４は、スキャンチャネル１の周りを回転する。なお、スリップリング４の回転軸線は、スキャンチャネル１における被検体を搬送する搬送方向Ｖと略平行である。スリップリング４は、予め設定されたスキャンパラメータに基づいて回転し、放射線源２及び検出装置３を駆動して被検体の周りを回転させることで、被検体に対する回転スキャンを完成する。
【００２９】
制御装置５は、放射線源２からの放射線の放射を制御し、且つ検出装置３から出力されるデータ信号の収集を制御する。また、制御装置５は、スキャンチャネル１及びスリップリング４の動作を制御するためにも用いられる。
【００３０】
データ処理装置６は、検出装置３が被検体を走査する過程で発生するデータ信号に基づいて処理を行うことで、被検体のＣＴ画像を再構成する。
【００３１】
図２は、本願の一実施例に係る検出装置３の構成を示す模式図である。図２を参照すると、検出装置３は、所定の軌跡に沿って配列されている複数列の高エネルギー検出器３１１を含む高エネルギー検出器アセンブリ３１と、高エネルギー検出器アセンブリ３１に積層して設けられており、所定の軌跡に沿って間隔を空けて配列された複数列の低エネルギー検出器３２１を含む低エネルギー検出器アセンブリ３２と、を備える。
【００３２】
ここで、低エネルギー検出器アセンブリ３２は、放射線源２に近い側に設けられており、高エネルギー検出器アセンブリ３１は、放射線源２から遠い側に設けられている。つまり、放射線源２から放出された放射線は、まず低エネルギー検出器３２１に入射する。
【００３３】
引き続き図２を参照すると、高エネルギー検出器アセンブリ３１は、図２に矢印のある破線で示す円弧軌跡Ｎに沿って配列されているエリアアレイの高エネルギー検出器３１１を含む。ここで、エリアアレイの高エネルギー検出器は、複数列の高エネルギー検出器３１１を含み、任意の隣接する２列の高エネルギー検出器３１１が密接に設けられている。換言すれば、任意の隣接する２列の高エネルギー検出器３１１のピッチは、ゼロに限りなく近い。選択可能に、エリアアレイの各高エネルギー検出ユニットの中心は、放射線源２の焦点を円心とする円弧に分布していてもよい。
【００３４】
選択可能に、複数列の高エネルギー検出器が配列される所定の軌跡は、搬送方向Ｖに平行な直線である。
【００３５】
図３は、本願の実施例によって提供される単列の検出器の構成を示す模式図である。ここで、単列の検出器は、単列の低エネルギー検出器であってもよいし、単列の高エネルギー検出器であってもよい。図３に示すように、単列の検出器は、複数の検出ユニットが所定の軌跡に沿って配列されて形成されている。ここで、各検出ユニットは、１つのデータを個別に出力する。選択可能に、複数の検出ユニットは、連続的に配列されてもよいし、離間して配列されてもよい。
【００３６】
本願の実施例では、各列の高エネルギー検出器は、所定の軌跡に沿って配列されている複数の高エネルギー検出ユニットを含む。図２を参照すると、複数の高エネルギー検出ユニットが、図２の円弧軌跡Ｍに沿って配列されている。選択可能に、各列の高エネルギー検出器内の複数の高エネルギー検出ユニットは、直線に沿って配列されてもよい。
【００３７】
本願の実施例では、高エネルギー検出器における高エネルギー検出ユニットの配列軌跡は、スキャンチャネルの搬送方向Ｖと略平行な直線であってもよい。つまり、複数の高エネルギー検出ユニットは、スキャンチャネルの搬送方向に沿って配列されている。高エネルギー検出器における高エネルギー検出ユニットの配列軌跡は、放射線源の焦点を円心とする円弧であってもよい。
【００３８】
本願の実施例では、低エネルギー検出器アセンブリ３２は、図２の円弧軌跡Ｎが間隔を空けて配列された複数列の低エネルギー検出器３２１を含む。選択可能に、隣接する２つの低エネルギー検出器３２１のピッチは、等しくてもよく、等しくなくてもよい。
【００３９】
選択可能に、隣接する２列の低エネルギー検出器のピッチは等しい。低エネルギー検出器３１の間のピッチは、５〜８０ｍｍ、１０〜７０ｍｍ、２０〜６０ｍｍ、３０〜５０ｍｍ、３５〜４５ｍｍ、３６〜４０ｍｍ、又は３８ｍｍとしてもいい。具体的には、被検体のニーズに応じて設定することができる。
【００４０】
ここで、各列の低エネルギー検出器は、所定の軌跡に沿って配列されている複数の低エネルギー検出ユニットを含む。図２を参照すると、各列の低エネルギー検出器内の複数の低エネルギー検出ユニットも、図２の円弧軌跡に沿って配列されている。選択可能に、各列の低エネルギー検出器における複数の低検出ユニットは、搬送方向Ｖに平行な直線に沿って配列されてもよい。
【００４１】
本願の実施例では、低エネルギー検出器３２１の列数は高エネルギー検出器３１１の列数よりも少なく、各列の低エネルギー検出器３２１は１列の高エネルギー検出器３１１を覆っている。低エネルギー検出器３２１の列数は高エネルギー検出器３１１の列数よりも少ないため、高エネルギー検出器アセンブリには、低エネルギー検出器により覆われた高エネルギー検出器と、低エネルギー検出器により覆われていない高エネルギー検出器とが含まれている。
【００４２】
図４は、図２の検出装置を示す側面図である。図５は、図２における低エネルギー検出器及び高エネルギー検出器のエネルギー応答曲線を示す図である。図４に示すように、ＣＴシステムを使用する場合、図２における検出装置を用いることで、放射線源１からのＸ線は、Ｘ線が低エネルギー検出器３２１に直接入射して沈着される方式と、低エネルギー検出器３２１を透過したＸ線が、再び低エネルギー検出器により覆われた高エネルギー検出器に入射して沈着される方式と、Ｘ線が、低エネルギー検出器により覆われていない高エネルギー検出器に直接入射して沈着される方式との検出装置を透過する３つの方式がある。
【００４３】
ここで、低エネルギー検出器３２１の列数は、高エネルギー検出器３１１の列数よりも少ないため、高エネルギー検出器アセンブリには、低エネルギー検出器により覆われていない高エネルギー検出器が含まれておる。従って、Ｘ線は、低エネルギー検出器により覆われていない高エネルギー検出器に直接沈着されている。
【００４４】
各列の低エネルギー検出器３２１は１列の高エネルギー検出器３２１を覆っているため、低エネルギー検出器を透過した放射線は、低エネルギー検出器により覆われた高エネルギー検出器に沈着されている。
【００４５】
図５に示すように、実線は低エネルギー検出器の第１のエネルギー応答曲線を示し、破線は低エネルギー検出器により覆われた高エネルギー検出器の第２のエネルギー応答曲線を示し、一点鎖線は、低エネルギー検出器により覆われていない高エネルギー検出器の第３のエネルギー応答曲線を示している。
【００４６】
図４及び図５を参照すると、Ｘ線が低エネルギー検出器に沈着された後、低エネルギー検出器３２１の第１のエネルギー応答は、低エネルギー領域において顕著である。
【００４７】
Ｘ線が、低エネルギー検出器により覆われていない高エネルギー検出器に直接沈着される場合、低エネルギー検出器により覆われていない高エネルギー検出器の第３のエネルギー応答は、高エネルギー領域において顕著である。
【００４８】
Ｘ線が低エネルギー検出器を透過して低エネルギー検出器により覆われた高エネルギー検出器に沈着された後、低エネルギー検出器により覆われた高エネルギー検出器は第１のエネルギー応答と異なる第２のエネルギー応答を有し、第２のエネルギー応答は、第１のエネルギー応答と第３のエネルギー応答との乗積である。図５を参照すると、第２のエネルギー応答は、低エネルギー領域と高エネルギー領域との間の中間エネルギー領域において顕著である。
【００４９】
引き続き図５を参照すると、低エネルギー検出器と、低エネルギー検出器により覆われた高エネルギー検出器と、低エネルギー検出器により覆われていない高エネルギー検出器との３種類の検出器のそれぞれについて、沈着割合が最大である光子のエネルギーは異なる。
【００５０】
つまり、低エネルギー検出器の第１のエネルギー応答のピークに対応するエネルギー、低エネルギー検出器により覆われた高エネルギー検出器の第２のエネルギー応答のピークに対応するエネルギー、低エネルギー検出器により覆われていない高エネルギー検出器の第３のエネルギー応答のピークに対応するエネルギーは、順次に増加する。
【００５１】
従って、本願の実施例に係る検出装置を用いたＣＴシステムは、被検体の３種類のエネルギーによる投影データを取得することができる。３種類のエネルギーによる投影画像は、２種類のエネルギーによる投影画像と比較して、被走査材料の減衰係数関数をより正確に表現し、材料に対する識別可能性がより高い。
【００５２】
本願の実施例において、低エネルギー検出器アセンブリと高エネルギー検出器アセンブリとの間に他のデバイスが設けられていないというのは、低エネルギー検出器により覆われていない高エネルギー検出器に放射線源からの放射線が直接沈着されることを実現すると共に、低エネルギー検出器により覆われた高エネルギー検出器に放射線源からの放射線が沈着されることを実現するためであり、さらに、２層の検出器アセンブリを利用して３種類のエネルギーによる投影データを得ることで、材料に対する識別可能性を向上させることを実現することができる。
【００５３】
一例として、２つの異なる材料Ａ及び材料Ｂについて、材料Ａの減衰係数関数にＫ−ｅｄｇｅのジャンプが存在し、材料Ｂの減衰係数関数にＫ−ｅｄｇｅのジャンプが存在しないが、全体としては材料Ａの減衰係数関数に近い。ここで、Ｋ−ｅｄｇｅは原子のＫ殻の電子の結合エネルギーである。光子エネルギーがＫ−ｅｄｇｅを超えると、原子のＫ殻の電子と光子との作用のために、光電効果を生じ、原子の減衰係数関数はジャンプを生じる。
【００５４】
Ｘ線エネルギースペクトルに明らかなエネルギー拡張が存在するため、２種類のエネルギーによる投影データから再構成された材料Ａの減衰係数は、Ｘ線エネルギースペクトルにおける材料Ａの減衰係数関数の平均、即ち等価減衰係数であり、これは、再構成された材料Ｂの等価減衰係数に非常に近く、即ち、材料Ａと材料Ｂとを２種類のエネルギーによる投影データから識別することができない。
【００５５】
本願の実施例が提供する検出装置は３種類のエネルギーによる投影データを提供することができ、３種類のエネルギーによる投影データは３つの異なるエネルギースペクトルでの等価減衰係数を与えることができ、２種類のエネルギーによる等価減衰係数と比較し、もう一つの１次元データを用ることで、Ｋ−ｅｄｇｅのジャンプが存在するかどうかを表現することができる。これにより、材料Ａと材料Ｂを分けることができ、即ち材料に対する識別可能性を向上させることができる。
【００５６】
本願の実施例では、低エネルギー検出器アセンブリ３２が放射線源２に近い側に設けられるが、高エネルギー検出器アセンブリ３１が放射線源２に近い側に設けられないというのは、放射線源からの放射線が低エネルギー検出器アセンブリを透過して低エネルギー検出器により覆われた高エネルギー検出器に入ることを実現するためであり、さらに、第２のエネルギー応答を有する投影データを得ることができる。
【００５７】
高エネルギー検出器アセンブリ３１が放射線源２に近い側に設けられているが、低エネルギー検出器アセンブリ３２が放射線源２から遠い側に設けられると、３種類のエネルギーによる投影データを取得することができない。一般的に、高エネルギー検出器の厚さは大きいため、放射線中の全ての光子が高エネルギー検出器に完全に沈着される。高エネルギー検出器アセンブリ３１が放射線源２に近い側に設けられていると、高エネルギー検出器により覆われた低エネルギー検出器に光子が入射しなくなり、２種類のエネルギーによる投影データのみを取得する。
【００５８】
高エネルギー検出器用結晶は一般的に厚いため、放射線源２から遠い側に設けられた高エネルギー検出器アセンブリは、放射線源から放射されるＸ線光子を完全に吸収し、従って、本願の実施例における検出装置は、検出効率が高く、画像ノイズが小さく、且つ透過力が強い。
【００５９】
本願の実施例では、低エネルギー検出器により覆われた高エネルギー検出器は第２のエネルギー応答を有し、低エネルギー検出器により覆われていない高エネルギー検出器は第３のエネルギー応答を有する。被検体の画質をさらに向上させ、又、高エネルギー検出器アセンブリにおける第３のエネルギー応答を有する投影データの均一性及び正確性を向上させるために、高エネルギー検出器アセンブリ内の高エネルギー検出ユニットをキャリブレーション（Ｃａｌｉｂｒａｔｉｏｎ）又は較正することができる。
【００６０】
一例として、まず、低エネルギー検出器により覆われていないときの、高エネルギー検出器における複数の高エネルギー検出ユニットがそれぞれ出力する第１のデータを取得し、次に、低エネルギー検出器を高エネルギー検出器に覆うことで、低エネルギー検出器により覆われたときの、高エネルギー検出器における複数の高エネルギー検出ユニットがそれぞれ出力する第２のデータ、及び低エネルギー検出器における複数の低エネルギー検出ユニットがそれぞれ出力する第３のデータを取得する。そして、複数の第１のデータ、複数の第２のデータ及び複数の第３のデータに基づいて、第１のデータと第２のデータ及び第３のデータとの関係が確立される。
【００６１】
具体例として、第１のデータを引数とし、第２のデータと第３のデータを従属変数として、第１のデータと第２のデータ、第３のデータとの関係を確立し、これにより、第２のデータと第３のデータとの重み付け加算を用いて第１のデータを推定する際に、第２のデータに対応する重みと第３のデータに対応する重みとが求められる。
【００６２】
検出装置において、低エネルギー検出器により覆われた高エネルギー検出器における各高エネルギー検出ユニットは、予め定められた第２のデータの重みと第３のデータの重みとに基づいて、高エネルギー検出ユニットを覆う低エネルギー検出ユニットの第３データと該高エネルギー検出ユニットの第２データを重み付け加算することで、低エネルギー検出器により覆われた高エネルギー検出器における、各高エネルギー検出ユニットが低エネルギー検出器により覆われていないときの推定投影データを推定する。
【００６３】
そして、低エネルギー検出器により覆われた高エネルギー検出器における、各高エネルギー検出ユニットに対応する推定投影データは、低エネルギー検出器により覆われていない高エネルギー検出器における、他の高エネルギー検出ユニットが出力する投影データと結合することにより、第３のエネルギー応答のみを有する高エネルギー検出器の投影データを構成し、さらに被検体の単一のエネルギー三次元再構成結果を与える。
【００６４】
高エネルギー検出器アセンブリにおける高エネルギー検出器の出力データの一致性を向上させることにより、被検体のより多くのデータを得ることができ、データの均一性と画質を向上させて、さらに材料に対する識別可能性をさらに向上させる。
【００６５】
図６は、本願の他の実施例に係る検出装置を示す側面図である。図６に示す検出装置が図２に示す検出装置と異なる点は、高エネルギー検出器アセンブリにおける複数列の高エネルギー検出器は、所定の軌跡に沿って間隔を空けて配列されていることである。
【００６６】
ただし、任意の２列の高エネルギー検出器のピッチについては等しくてもよいし、等しくなくてもよい。選択可能に、高エネルギー検出器が出力するデータの空間的均一性及び画質を保つために、任意の隣接する２列の高エネルギー検出器の間に等しい間隔を設けることができる。
【００６７】
本願の実施例では、隣接する２列の低エネルギー検出器のピッチがそれぞれ等しく、かつ、隣接する２列の高エネルギー検出器のピッチもそれぞれ等しい場合に、低エネルギー検出器により覆われていない高エネルギー検出器が高エネルギー検出器アセンブリに含まれることを保証するために、低エネルギー検出器の列のピッチは高エネルギー検出器の列のピッチよりも大きい。
【００６８】
本願の実施例では、データの均一性と画質を保つために、任意の隣接する２列の、低エネルギー検出器により覆われた高エネルギー検出器の間に、少なくとも１列の、低エネルギー検出器により覆われていない高エネルギー検出器が設けられている。
【００６９】
具体的には、低エネルギー検出器により覆われた高エネルギー検出器と、低エネルギー検出器により覆われていない高エネルギー検出器とは所定の軌跡に沿って交互に配列されることで、第２のエネルギー応答を有する投影データと第３のエネルギー応答を有する投影データとが均一に分布されることを保証でき、さらに、被検体の画質を向上させ、材料に対する識別可能性をさらに向上させる。
【００７０】
本願の実施例はさらに検出装置を提供している。該検出装置は、積層して設けられている１層目の検出器アセンブリと、２層目の検出器アセンブリと、．．．、Ｎ層目の検出器アセンブリとを含み、Ｎは２よりも大きい整数である。
【００７１】
ここで、１層目の検出器アセンブリは、所定の軌跡に沿って配列されている複数列の第１の検出器を含み、２層目の検出器アセンブリは、所定の軌跡に沿って間隔を空けて配列されている複数列の第２の検出器を含み、．．．、Ｎ層目の検出器アセンブリは、所定の軌跡に沿って間隔を空けて配列されている複数列の第Ｎの検出器を含む。
【００７２】
第１の検出器のエネルギー応答ピークに対応するエネルギーと、第２の検出器のエネルギー応答ピークに対応するエネルギーと、．．．、第Ｎの検出器のエネルギー応答ピークに対応するエネルギーとは順次に減少する。
【００７３】
ｋ＋１層目の検出器アセンブリにおける検出器の列数は、ｋ層目の検出器アセンブリにおける検出器の列数よりも少なく、ｋ＝１、２、．．．、Ｎ−１である。
【００７４】
ｋ＋１層目の検出器アセンブリにおける各列の検出器は、何れもｋ層目の検出器アセンブリにおける１列の検出器を覆っている。
【００７５】
一例として、図７は、Ｎ＝３の場合の検出装置の側面図を示す。複数層検出器アセンブリを設けることにより、４種類のエネルギー及び４種類のエネルギー以上の複数種類のエネルギーによる被検体の投影データを取得することができ、材料に対する識別可能性をより向上させることができる。
【００７６】
本願の実施例によって提供される３層及び３層以上の検出器アセンブリを含む検出装置は、図２〜図６に関連して説明した２層の検出器アセンブリを含む検出装置と同様であるため、ここでは説明を省略する。
【００７７】
以上、好適な実施例を挙げて本願を説明したが、発明の要旨を逸脱しない範囲で種の変更が可能であり、均等なものでその部材を替えることも可能である。特に、構成に矛盾がない限り、各実施例における各技術的特徴を任意に組み合わせることができる。本願は、上記の特定の実施例に限らず、特許請求の範囲に含まれる全ての技術案を含む。
【図１】
2022502199.tif 000003
【図２】
2022502199.tif 000004
【図３】
2022502199.tif 000005
【図４】
2022502199.tif 000006
【図５】
2022502199.tif 000007
【図６】
2022502199.tif 000008
【図７】
2022502199.tif 000009
【国際調査報告】
2022502199.tif 000010
2022502199.tif 000011
2022502199.tif 000012
2022502199.tif 000013
2022502199.tif 000014